(57)【特許請求の範囲】
【請求項１】
入金端末装置，メッセージ入力端末装置，ホスト・コンピュータ，想い出情報管理装置，ならびに第１および第２の２種類の口座照会要求のうちのいずれ一方を選択的に送信する照会要求送信手段を含む口座照会端末装置を備える想い出バンク・システムであって，
上記入金端末装置は，
少なくとも入金先口座番号，入金先口座への入金金額および入金依頼人情報の入力を受付ける入金手段，ならびに上記入金手段によって受付けられる入金先口座番号，入金金額および入金依頼人情報と取引日付を含む入金電文を，上記ホスト・コンピュータに送信する入金電文送信手段を備え，
上記メッセージ入力端末装置は，
入金依頼人から受取人に向けたメッセージを表すメッセージ・データの入力を受付けるメッセージ受付手段，ならびに上記入金端末装置によって受付けられる入金先口座番号，入金金額および入金依頼人情報と取引日付を含む入金情報と，上記メッセージ受付手段によって受付けられるメッセージ・データとを，互いに関連付けて上記想い出情報管理装置に送信する入金情報送信手段を備え，
上記ホスト・コンピュータは，
口座ごとに作成され，少なくとも入出金記録および残高を記憶する元帳データテーブル，ならびに上記入金端末装置から送信される入金電文の受信に応じて，上記入金電文に含まれる入金先口座番号の元帳データテーブルに対し，少なくとも入金記録の追加および残高更新を行う勘定処理手段を備え，
上記想い出情報管理装置は，
上記メッセージ入力端末装置から送信される入金情報およびメッセージ・データの受信に応じて，上記入金情報に含まれる入金先口座番号，入金金額，入金依頼人情報および取引日付と，上記メッセージ・データと，上記メッセージ・データを特定するアドレスと，上記メッセージ・データの再生の有無を示す確認フラグを互いに関連付けて記憶する想い出情報記憶装置を備え，
上記想い出情報管理装置の想い出情報記憶装置に，口座ごとに作成された想い出情報データテーブルが記憶されており，
上記想い出情報管理装置は，
上記メッセージ入力端末装置から送信される入金情報およびメッセージ・データの受信に応じて，上記入金情報に含まれる入金先口座番号によって特定される想い出情報データテーブルに，入金金額，入金依頼人情報，取引日付，上記メッセージ・データ，上記メッセージ・データを特定するアドレス，および上記メッセージ・データの再生の有無を示す確認フラグを含むデータレコードを追加するものであり，
上記ホスト・コンピュータはさらに，
上記口座照会端末装置の上記照会要求送信手段から送信される口座照会要求が第１の口座照会要求である場合に，上記元帳データテーブルに記憶されている照会口座の入出金記録を含み，かつメッセージ・データが付随する入金記録についてはメッセージ・データのアドレス，およびメッセージ・データの再生の有無を示す確認フラグを含む第１の照会情報を，上記口座照会端末装置に送信する第１の照会情報送信手段を備え，
上記想い出情報管理装置はさらに，
上記口座照会端末装置の上記照会要求送信手段から送信される口座照会要求が第２の口座照会要求である場合に，上記想い出情報記憶装置に記憶されている入金金額，入金依頼人情報，取引日付，上記メッセージ・データのアドレス，および上記メッセージ・データの再生の有無を示す確認フラグを含む第２の照会情報を，上記口座照会端末装置に送信する第２の照会情報送信手段を備え，
上記口座照会端末装置はさらに，
上記ホスト・コンピュータから送信される第１の照会情報または想い出情報管理装置から送信される第２の照会情報を画面表示する照会情報表示手段，および
上記照会情報表示手段によって表示される第１または第２の照会情報に含まれるアドレスの選択を受付け，選択されたアドレスによって特定されるメッセージ・データの送信要求を上記想い出情報管理装置に送信するメッセージ要求手段を備え，
上記想い出情報管理装置はさらに，
上記口座照会端末装置から送信されるメッセージ・データ送信要求の受信に応じて，上記アドレスによって特定されるメッセージ・データを上記想い出情報記憶装置から読出して上記口座照会端末装置に送信するメッセージ・データ送信手段を備え，
上記口座照会端末装置はさらに，
上記想い出情報管理装置から送信されるメッセージ・データによって表されるメッセージを再生するメッセージ再生手段を備える，
想い出バンク・システム。
【請求項２】
上記入金端末装置および上記メッセージ入力端末装置は同一の端末装置である，
請求項１に記載の想い出バンク・システム。
【請求項３】
上記口座照会端末装置は，上記入金端末装置および上記メッセージ入力端末装置の少なくともいずれか一方と同一の端末装置である，請求項１または２に記載の想い出バンク・システム。
【請求項４】
上記ホスト・コンピュータは，口座開設者ごとの生年月日および所属機関を表すデータの少なくともいずれか一方を口座番号に関連付けて記憶した顧客属性テーブルを備え，
上記想い出情報管理装置は，
上記メッセージ入力端末装置から送信される入金情報に含まれる入金先口座番号によって特定される受取人についての生年月日および所属機関を表すデータの少なくともいずれか一方を上記顧客属性テーブルから取得し，上記取引日付における上記受取人の年齢および所属機関の少なくともいずれか一方を，上記入金情報，メッセージ・データおよびアドレスに関連付けて上記想い出情報記憶装置に記憶するものであり，
上記想い出情報管理装置の上記メッセージ・データ送信手段は，
上記アドレスによって特定されるメッセージ・データを上記口座照会端末装置に送信するとともに，そのメッセージ・データに関連付けられている上記取引日付における受取人の年齢および所属機関の少なくともいずれか一方を上記口座照会端末装置に送信するものであり，
上記口座照会端末装置のメッセージ再生手段は，
上記メッセージ・データによって表されるメッセージを再生するとともに，上記想い出情報管理装置から送信される取引日付における受取人の年齢および所属機関の少なくともいずれか一方を表示画面に表示するものである，
請求項１に記載の想い出バンク・システム。
【請求項５】
上記メッセージ・データは，テキスト・データ，画像データおよび音声データの少なくともいずれか一つである，請求項１から４のいずれか一項に記載の想い出バンク・システム。
【発明の詳細な説明】
【技術分野】
【０００１】
この発明は，想い出バンク・システム，想い出情報管理装置およびその動作制御方法に関する。
【背景技術】
【０００２】
銀行を含む金融機関が開設する口座には金銭が入出金される。入金が行われると入金記録が，出金が行われると出金記録が，口座ごとに作成された金融機関の元帳に記録される。
【０００３】
元帳に記録される入出金記録は金融機関が発行する通帳に記帳することができる。通帳には入出金が行われた日付（年月日），入金金額または出金金額，取扱種別（振込，カードなど），振込人，引落し人の氏名（名称）等を簡潔に記載した取引内容が記入される。
【０００４】
通帳に記入される取引内容によって，たとえば振込が行われた場合にはその振込がいつ，誰から行われたのかおよびその金額を把握することはできる。しかしながら，どのような趣旨でその振込が行われたかを詳細に把握する（想い出す）のは難しい。
【０００５】
特許文献１には，メッセージ，写真アルバム等の各種情報を預け入れることができるライフバンクシステムが記載されている。しかしながら，金融機関に開設される口座への入金（振込）との関連性は全く考えられていない。
【先行技術文献】
【特許文献】
【０００６】
【特許文献１】特開２００２−１９７２８７号公報
【発明の開示】
【０００７】
この発明は，入金依頼人が口座に入金するときに，入金に伴って受取人に向けてメッセージを発信できるようにし，そのメッセージを入金に関する情報と関連付けて預け入れることができるようにすることを目的とする。
【０００８】
この発明はまた，預入れられたメッセージを引き出す（再生する）ことができるようにすることを目的とする。
【０００９】
この発明による想い出バンク・システムは，入金端末装置，メッセージ入力端末装置，ホスト・コンピュータおよび想い出情報管理装置を含む。
【００１０】
上記入金端末装置は，少なくとも入金先口座番号，入金先口座への入金金額および入金依頼人情報の入力を受付ける入金手段，ならびに上記入金手段によって受付けられる入金先口座番号，入金金額および入金依頼人情報と取引日付を含む入金電文を，上記ホスト・コンピュータに送信する入金電文送信手段を備える。入金は振込，送金および払込みを含む。
【００１１】
上記メッセージ入力端末装置は，入金依頼人から受取人に向けたメッセージを表すメッセージ・データの入力を受付けるメッセージ受付手段，ならびに上記入金端末装置によって受付けられる入金先口座番号，入金金額および入金依頼人情報と取引日付を含む入金情報と，上記メッセージ受付手段によって受付けられるメッセージ・データとを，互いに関連付けて上記想い出情報管理装置に送信する入金情報送信手段を備える。入金情報はホスト・コンピュータに送信される入金電文と同一であってもその一部であってもよい。いずれにしても，メッセージ入力端末装置から想い出情報管理装置に送信される入金情報は，入金端末装置からホスト・コンピュータに送信される入金電文の内容とその一部または全部において合致し，少なくとも入金先口座番号，入金金額，入金依頼人情報および取引日付を含む。受取人が上記入金先口座番号の口座の所有者である。
【００１２】
上記ホスト・コンピュータは，口座ごとに作成され，少なくとも入出金記録および残高を記憶する元帳データテーブル，ならびに上記入金端末装置から送信される入金電文の受信に応じて，上記入金電文に含まれる入金先口座番号の元帳データテーブルに対し，少なくとも入金記録の追加および残高更新を行う勘定処理手段を備える。
【００１３】
上記想い出情報管理装置は，上記メッセージ入力端末装置から送信される入金情報およびメッセージ・データの受信に応じて，上記入金情報に含まれる入金先口座番号，入金金額，入金依頼人情報および取引日付と，上記メッセージ・データと，上記メッセージ・データを特定するアドレス（ＵＲＩ（Uniform Resource Identifier ），ＵＲＬ（Uniform Resource Locator）など）とを互いに関連付けて記憶する想い出情報記憶装置を備えている。
【００１４】
入金端末装置が用いられて入金先口座への入金（振込み，送金，払込み）が行われる。入金端末装置は，現金を取扱うことができる端末装置，たとえば顧客（入金依頼人）自身が操作する自動取引装置（ＡＴＭ）（Automated Teller Machine）および金融機関の職員が操作する窓口端末装置（ＷＭ）（Window Machine）を含む。また，現金を取扱うことはできないが口座間の振込によって振込元口座から振込先口座への振込（振込先口座への入金）を指示することができるコンピュータ装置，たとえばパーソナル・コンピュータ，携帯電話等も入金端末装置には含まれる。いずれにしても，入金端末装置には入金先口座番号，入金金額および入金依頼人情報が入力される。
【００１５】
入力された入金先口座番号，入金金額および入金依頼人情報と取引日付（たとえば振込日付）は入金電文として入金端末装置からホスト・コンピュータに送信される。ホスト・コンピュータは，入金電文にしたがって受取人が所有する口座（入金先口座）の元帳データに対して勘定処理，代表的には入金記録の追加および残高更新を行う。
【００１６】
メッセージ入力端末装置が用いられて，入金依頼人から受取人に向けたメッセージを表すメッセージ・データの入力が受付けられる。上記入金端末装置と上記メッセージ入力端端末装置は別個の端末装置であってもよいし同一の端末装置であってもよい。いずれにしても，上記入金端末装置によって受付けられる入金先口座番号，入金金額，入金依頼人情報および取引日付を含む入金情報と，メッセージ入力端末装置のメッセージ受付手段によって受付けられるメッセージ・データとが，互いに関連付けられてメッセージ入力端末装置から上記想い出情報管理装置に送信される。入金情報およびメッセージ・データは，メッセージ入力端末装置から，上記ホスト・コンピュータ，Ｗｅｂサーバ等を経由して，上記想い出情報管理装置に送信されるものでもよい。メッセージ・データは，テキスト・データ，画像データおよび音声データのいずれであってもよい。画像データは静止画データであっても，動画データであってもよい。
【００１７】
想い出情報管理装置は，入金情報およびメッセージ・データを受信すると，入金情報に含まれる入金先口座番号，入金金額，入金依頼人情報，取引日付およびメッセージ・データを想い出情報記憶装置に記憶するとともに，メッセージ・データを特定するアドレスを想い出情報記憶装置に記憶する。入金先口座番号，入金金額，入金依頼人情報，取引日付，上記メッセージ・データ，および上記メッセージ・データを特定するアドレスは互いに関連付けられて（たとえば，１つのレコード中に）記憶される。
【００１８】
この発明によると，入金依頼人が受取人の入金先口座に入金するときに入力したメッセージを，入金情報（入金元口座番号，入金金額，入金依頼人情報および取引日付）に関連付けて記憶する（預け入れる）ことができる。
【００１９】
口座に預け入れられた金銭は口座から引出すことができる。想い出情報管理装置の想い出情報記憶装置に記憶されたメッセージ・データも想い出情報記憶装置から読出すことができる。メッセージ・データの読出し（その準備）のために，想い出情報管理装置は，メッセージ・データを想い出情報記憶装置に記憶するとともに，上記メッセージ・データを特定するアドレスも想い出情報記憶装置に記憶する。アドレス（ＵＲＩ，ＵＲＬなど）によって読出すべきメッセージ・データ（その記憶場所）を特定することができる。
【００２０】
一実施態様では，上記想い出情報管理装置の想い出情報記憶装置に，口座ごとに作成された想い出情報データテーブルが記憶されており，上記想い出情報管理装置は，上記メッセージ入力端末装置から送信される入金情報およびメッセージ・データの受信に応じて，上記入金情報に含まれる入金先口座番号によって特定される想い出情報データテーブルに，入金金額，入金依頼人情報，取引日付，上記メッセージ・データ，および上記メッセージ・データを特定するアドレスを含むデータレコードを追加する。
【００２１】
好ましくは，上記想い出バンク・システムは，口座の照会要求を上記想い出情報管理装置に送信する照会要求送信手段を備える口座照会端末装置を含み，上記想い出情報管理装置は，上記口座照会端末装置から送信される上記入金先口座の照会要求の受信に応じて，上記想い出情報記憶装置に記憶されている入金金額，入金依頼人情報，取引日付および上記メッセージ・データのアドレスを含む上記入金先口座についての一または複数の照会情報を，上記口座照会端末装置に送信する照会情報送信手段を備え，上記口座照会端末装置はさらに，上記想い出情報管理装置から送信される上記照会情報を画面表示する照会情報表示手段，および上記照会情報表示手段によって表示される照会情報に含まれるアドレスの選択を受付け，選択されたアドレスによって特定されるメッセージ・データの送信要求を上記想い出情報管理装置に送信するメッセージ要求手段を備え，上記想い出情報管理装置はさらに，上記口座照会端末装置から送信されるメッセージ・データ送信要求の受信に応じて，上記アドレスによって特定されるメッセージ・データを上記想い出情報記憶装置から読出して上記口座照会端末装置に送信するメッセージ・データ送信手段を備え，上記口座照会端末装置はさらに，上記想い出情報管理装置から送信されるメッセージ・データによって表されるメッセージを再生するメッセージ再生手段を備える。
【００２２】
上述のように，想い出情報記憶装置にはメッセージ・データのアドレスが記憶されるので，入金金額，入金依頼人情報および取引日付（一般的な取引内容）とともに，上記メッセージ・データのアドレスを口座照会端末装置に送信することができ，口座端照会端末装置の操作者に，所望のアドレス（メッセージ）を選択させることができる。アドレスにしたがってメッセージ・データが想い出情報管理装置から口座照会端末装置に送信（ダウンロード）され，再生される。入金時に入金依頼人が受取人に向けて発信したメッセージを，後日，たとえば，数年後，数十年後に確認することができ，入金の趣旨，入金の目的等をそのメッセージによって把握することができる。たとえば，子供が生まれたときにその祝い金が祖父によって子供の口座に入金され，そのときのお祝いの言葉（文章）が想い出情報記憶装置に記憶されたメッセージ・データによって表されるメッセージであるとする。祝い金は口座から出金されたとしても，メッセージ・データは想い出情報記憶装置に残る。メッセージを再生（表示）することによって，入金時の祖父からのメッセージを確認できる。数年前，数十年前の様子を想い出すことができる。
【００２３】
上記口座照会端末装置は，上記入金端末装置および上記メッセージ入力端末装置の少なくともいずれか一方と同一の端末装置であってもよい。
【００２４】
他の実施態様では，上記ホスト・コンピュータは，口座開設者ごとの生年月日および所属機関を表すデータの少なくともいずれか一方を口座番号に関連付けて記憶した顧客属性テーブルを備え，上記想い出情報管理装置は，上記メッセージ入力端末装置から送信される入金情報に含まれる入金先口座番号によって特定される受取人についての生年月日および所属機関を表すデータの少なくともいずれか一方を上記顧客属性テーブルから取得し，上記取引日付における上記受取人の年齢および所属機関の少なくともいずれか一方を，上記入金情報，メッセージ・データおよびアドレスに関連付けて上記想い出情報記憶装置に記憶するものであり，上記想い出情報管理装置の上記メッセージ・データ送信手段は，上記アドレスによって特定されるメッセージ・データを上記口座照会端末装置に送信するとともに，そのメッセージ・データに関連付けられている上記取引日付における受取人の年齢および所属機関の少なくともいずれか一方を上記口座照会端末装置に送信するものであり，上記口座照会端末装置のメッセージ再生手段は，上記メッセージ・データによって表されるメッセージを再生するとともに，上記想い出情報管理装置から送信される取引日付における受取人の年齢および所属機関の少なくともいずれか一方を表示画面に表示するものである。入金依頼人からの入金があったときに，受取人自身は何歳であったのか，そのときの所属はどこであったのかを確認することができる。入金が行われた当時の自分の様子についても想い出すことができる。
【００２５】
この発明は，上述の想い出バンク・システムに用いられる想い出管理装置も提供している。この発明による想い出管理装置は，金融機関の口座への入金に関連付けられて預け入れられるメッセージを管理するものであって，入金先口座番号，入金金額，入金依頼人情報および取引日付を含む入金情報と，入金依頼人から受取人に向けたメッセージを表すメッセージ・データとを受信する第１の受信手段，ならびに上記第１の受信手段による上記入金情報およびメッセージ・データの受信に応じて，上記入金情報に含まれる入金先口座番号，入金金額，入金依頼人情報および取引日付と，上記メッセージ・データと，上記メッセージ・データを特定するアドレスとを互いに関連付けて記憶する想い出情報記憶装置を備える。
【００２６】
この発明は想い出情報管理装置の制御に適する方法も提供する。すなわち，金融機関の口座への入金に関連付けられて預け入れられるメッセージを管理する想い出情報管理装置の動作制御方法であって，第１の受信手段が，入金先口座番号，入金金額，入金依頼人情報および取引日付を含む入金情報と，入金依頼人から受取人に向けたメッセージを表すメッセージ・データとを受信し，想い出情報記憶装置が，上記第１の受信手段による上記入金情報およびメッセージ・データの受信に応じて，上記入金先口座番号，入金金額，入金依頼人情報および取引日付と，上記メッセージ・データと，上記メッセージ・データを特定するアドレスとを互いに関連付けて記憶する。
【００２７】
従来用いられている金融機関オンライン・システムに上述の想い出情報管理装置を追加することによって，金融機関オンライン・システムの仕様等を変更，改変，改造等しなくても，入金に伴って受取人に向けて発信されたメッセージを入金情報と関連付けて預け入れることができる。
【００２８】
好ましくは，上記想い出情報管理装置は，口座の照会要求を受信する第２の受信手段，上記第２の受信手段による上記入金先口座の照会要求の受信に応じて，入金金額，入金依頼人情報，取引日付および上記メッセージ・データのアドレスを含む上記入金先口座についての一または複数の照会情報を上記想い出情報記憶装置から読出し，口座照会元の端末装置に送信する照会情報送信手段，上記アドレスに基づくメッセージ・データの送信要求を受信する第３の受信手段，ならびに上記第３の受信手段によるメッセージ・データの送信要求の受信に応じて，上記アドレスによって特定されるメッセージ・データを上記想い出情報記憶装置から読出して上記メッセージ要求元の端末装置に送信するメッセージ・データ送信手段を備える。預け入れられたメッセージを再生することができる。
【図面の簡単な説明】
【００２９】
【図１】第１実施例の想い出バンク・システムのブロック図である。
【図２】会員テーブルを示す。
【図３】元帳属性テーブルを示す。
【図４】元帳勘定系テーブルを示す。
【図５】想い出情報付勘定系テーブルを示す。
【図６】想い出情報テーブルを示す。
【図７】振込処理および想い出情報の登録処理のときのクライアント・コンピュータおよびＷｅｂサーバの処理手順を示すフローチャートである。
【図８】振込処理および想い出情報の登録処理のときのホスト・コンピュータの処理手順を示すフローチャートである。
【図９】振込処理および想い出情報の登録処理のときのホスト・コンピュータおよび想い出情報管理装置の処理手順を示すフローチャートである。
【図１０】（Ａ）は振込電文のデータ構造を，（Ｂ）は想い出情報が付随する振込電文のデータ構造をそれぞれ示す。
【図１１】ログイン・ページを示す。
【図１２】サービス選択ページを示す。
【図１３】依頼人名，出金口座の設定ページを示す。
【図１４】振込先の選択ページを示す。
【図１５】振込先，振込金額の設定ページを示す。
【図１６】想い出情報設定ページを示す。
【図１７】想い出情報入力ページを示す。
【図１８】振込の依頼内容確認ページを示す。
【図１９】振込完了ページを示す。
【図２０】口座残高および明細照会処理におけるクライアント・コンピュータおよびＷｅｂサーバの処理手順を示すフローチャートである。
【図２１】口座残高および明細照会処理におけるホスト・コンピュータの処理手順を示すフローチャートである。
【図２２】口座残高および明細照会処理における想い出情報管理装置の処理手順を示すフローチャートである。
【図２３】明細種類選択ページを示す。
【図２４】想い出明細ページを示す。
【図２５】残高・入出金明細ページを示す。
【図２６】想い出情報を再生するときのクライアント，Ｗｅｂサーバ，ホスト・コンピュータ，および想い出情報管理装置の処理手順を示すフローチャートである。
【図２７】所属確認ページを示す。
【図２８】所属機関変更ページを示す。
【図２９】想い出情報再生ページを示す。
【図３０】想い出情報再生ページを示す。
【図３１】想い出情報付勘定系テーブルの他の例を示す。
【図３２】第２実施例の想い出バンク・システムのブロック図である。
【図３３】ＡＴＭの外観を示す斜視図である。
【図３４】ＡＴＭを構成する装置のブロック図である。
【図３５】想い出情報登録機の斜視図である。
【図３６】想い出情報登録機を構成する装置のブロック図である。
【図３７】口座に振込を行うときのＡＴＭおよびホスト・コンピュータの処理手順を示すフローチャートである。
【図３８】（Ａ），（Ｂ），（Ｃ）および（Ｄ）は，ＡＴＭの表示／入力装置に表示されるガイダンス画面を示す。
【図３９】想い出登録シートを示す。
【図４０】想い出情報を登録するときの想い出情報登録機，ホスト・コンピュータ，および想い出情報管理装置の処理手順を示すフローチャートである。
【図４１】想い出情報の再生時のＡＴＭ，ホスト・コンピュータおよび想い出情報管理装置の処理手順を示すフローチャートである。
【図４２】（Ａ），（Ｂ），（Ｃ）および（Ｄ）は，想い出情報再生時にＡＴＭの表示／入力装置に表示される各種画面を示す。
【図４３】想い出情報が付随する入金記録が印字された通帳を示す。
【図４４】第２実施例の第１変形例における，ＡＴＭ，ホスト・コンピュータおよび想い出情報管理装置の処理手順を示すフローチャートである。
【図４５】ＩＣチップが装着された通帳を示す。
【図４６】第２実施例の第２変形例における，ＡＴＭ，ホスト・コンピュータおよび想い出情報管理装置の処理手順を示すフローチャートである。
【実施例】
【００３０】
想い出バンク・システムは，金融機関（銀行，信用組合，郵便局等）に入金（振込）するときに，入金に関する情報に関連付けてメッセージ（伝言，メモ）を表すテキスト・データ，画像データ（静止画および動画を含む。），音声データを預入れる（登録する）ことができるシステムである。入金が行われると，入金先口座に関連付けられて，入金額，入金日，入金依頼人の氏名など（入金記録）が記憶装置に記憶される。入金されるとともにメッセージを表すテキスト・データ等の預入れが行われた場合には，そのメッセージも記憶装置に記憶される。記憶装置に記憶されたメッセージは，任意のときに読出して再生することができる。再生されるメッセージは典型的には入金時に作成され，かつ入金者（入金依頼人）から受取人に向けて発信されるものであるから，たとえば，いつ，誰から，どのような趣旨のもとで入金が行われたものであるかを，メッセージを再生することで後日（たとえば，数年後，数十年後）確認することができる。預入れられるメッセージは，入金の内容を詳細に想い出すことを手助けする情報であるから，この観点から，入金時に預入れられるメッセージ（メッセージを表すテキスト・データ等）を，以下，「想い出情報」と呼ぶ。
【００３１】
想い出情報の預入れは，上述のように，金融機関に開設された口座に入金する（振込む）ときに行われ，金融機関における預金受入業務または振込（為替）業務に付随する。預金受入（振込）に付随して行われる想い出情報の預入れには，銀行窓口（ＷＭ），ＡＴＭ（Automated Teller Machine），インターネット・バンキング（インターネットに接続されたパーソナル・コンピュータ，携帯電話等），専用端末機などが利用される。預入れられた想い出情報の引出し（再生）にはパーソナル・コンピュータ，ＡＴＭなどが利用される。以下，インターネット・バンキング（パーソナル・コンピュータ）を利用した想い出バンク・システム（第１実施例）と，ＡＴＭおよび専用端末機を利用した想い出バンク・システム（第２実施例）とに分けて，想い出バンク・システムを詳細に説明する。
【００３２】
［第１実施例］
（想い出バンク・システムの全体構成）
図１は第１実施例の想い出バンク・システムのブロック図である。
【００３３】
第１実施例の想い出バンク・システムは，ネットワーク（インターネットなど）１を通じて通信可能に接続されたＷｅｂサーバ２および複数台のクライアント・コンピュータ５と，上記Ｗｅｂサーバ２に専用回線等によって接続されたホスト・コンピュータ３，および想い出情報管理装置４を含む。Ｗｅｂサーバ２，ホスト・コンピュータ３および想い出情報管理装置４は金融機関（銀行）等の管理下にある。クライアント・コンピュータ５はインターネット・バンキングを利用する顧客の管理下にある。Ｗｅｂサーバ２，ホスト・コンピュータ３および想い出情報管理装置４はいずれもコンピュータ・システムによって実現され，いずれもＣＰＵ，記憶装置（ハードディスクなど），メモリ，通信装置（ネットワーク・カード）などを含む。クライアント・コンピュータ５は典型的にはパーソナル・コンピュータであり，ＣＰＵ，記憶装置，メモリ，通信装置，表示装置，入力装置などを含む。
【００３４】
インターネット・バンキングではクライアント・コンピュータ５が顧客の操作端末として用いられる。口座の残高照会，口座の入出金明細の表示，振込，定期預金の申込みなどの複数のサービスがインターネット・バンキングにおいて顧客に提供される。後述するように，顧客の指示に応じてＷｅｂサーバ２からクライアント・コンピュータ５に残高照会ページ，口座の入出金明細ページ，振込ページなどを表すｈｔｍｌデータが送信され，クライアント・コンピュータ５の表示装置の表示画面上にこれらのページが表示される。
【００３５】
Ｗｅｂサーバ２は，クライアント・コンピュータ５の表示画面上に表示される各種のＷｅｂページの提供，クライアント・コンピュータ５から送信される，およびクライアント・コンピュータ５によって受信される各種データの中継等を行う。Ｗｅｂサーバ２に接続された記憶装置11に，クライアント・コンピュータ５に送信される複数種類のｈｔｍｌデータおよび会員情報が格納された会員データベースが記憶されている。ｈｔｍｌデータに基づく画面表示および会員データベースの詳細は後述する。
【００３６】
ホスト・コンピュータ３は銀行業務（預金受入業務，振込業務など）を統括するコンピュータである。ホスト・コンピュータ３に接続された記憶装置12には元帳データベースが記憶されている。元帳データベースには口座を開設している顧客のそれぞれについての入出金記録等を含む元帳が記憶されており，ホスト・コンピュータ３は元帳への入出金の記録処理（勘定処理）などを行う。ホスト・コンピュータ３の処理および元帳データベースの詳細は後述する。
【００３７】
想い出情報管理装置４は，預入れられる想い出情報の管理業務処理を行うコンピュータである。想い出情報管理装置４に接続された記憶装置13に記憶されている想い出情報データベースに想い出情報が記憶され，かつ想い出情報データベースから想い出情報が読出される。想い出情報管理装置４の処理および想い出情報の詳細は後述する。
【００３８】
ホスト・コンピュータ３は全銀センター６にも接続されている。全銀センター６には，複数の金融機関のホスト・コンピュータが接続されており，ホスト・コンピュータ３から他の金融機関のホスト・コンピュータへのデータ送信（他行宛の振込など），他の金融機関のホスト・コンピュータから送信されるデータのデータ受信等が，全銀センター６を介して行われる。
【００３９】
（各種データベース）
図２はＷｅｂサーバ２の記憶装置11に記憶されているインターネット・バンキング会員データベースに含まれる会員テーブル11ａを示している。金融機関に口座を開設している顧客のうち，あらかじめインターネット・バンキングの利用登録を行っている顧客がインターネット・バンキングを利用することができる。会員テーブル11ａにはインターネット・バンキングを利用可能な顧客のそれぞれについて，ＩＤ（契約者番号），パスワード（暗証），氏名等が格納されている。
【００４０】
図３および図４は，ホスト・コンピュータ３の記憶装置12に記憶されている元帳データベースに含まれる元帳属性テーブル12ａおよび元帳勘定系テーブル12ｂをそれぞれ示している。元帳属性テーブル12ａおよび元帳勘定系テーブル12ｂはいずれも顧客ごとに採番されるＣＩＦ（Costomer Information File ）番号を含み，ＣＩＦ番号をキー項目にして互いに関連付けられている。元帳勘定系テーブル12ｂは顧客ごとに作成される。
【００４１】
元帳属性テーブル12ａ（図３）にはＣＩＦ番号，顧客の氏名，生年月日，住所，現在の所属，メール・アドレス等が格納されている。元帳勘定系テーブル12ｂ（図４）にはＣＩＦ番号によって特定される顧客が開設している口座の口座番号，店番号および科目，口座ごとの入出金記録，記帳済みフラグ（通帳記帳済みであるかどうか示すフラグ）等が格納されている。入出金記録は，入出金が行われた年月日，引き出し金額または預け入れ金額，取扱内容（入金依頼人の氏名等），残高等を含む。
【００４２】
図５および図６は想い出情報管理装置４の記憶装置13に記憶されている想い出情報データベースに含まれる想い出情報付勘定系テーブル13ａおよび想い出情報テーブル13ｂをそれぞれ示している。想い出情報付勘定系テーブル13ａおよび想い出情報テーブル13ｂは顧客ごとに作成され，いずれも想い出ナンバ（想い出No. ）を含み，想い出ナンバをキー項目にして互いに関連付けられている。もちろん想い出情報付勘定系テーブル13ａおよび想い出情報テーブル13ｂは１つのデータテーブルであってもよい。
【００４３】
上述したように，想い出情報は，口座に入金が行われたときに入金に関する情報に関連付けられて保存される。入金に関する情報（以下，入金情報という）は元帳勘定系テーブル12ｂ（図４）に記憶される入金記録と同一であってもその一部であってもよい。いずれにしても，入金情報は，少なくとも口座番号，日付（入金日，振込日），入金（振込）金額，および入金依頼人情報（代表的には入金依頼人の氏名）を含む。
【００４４】
想い出情報が付随する入金が行われると，想い出情報付勘定系テーブル13ａ（図５）にその入金情報を表すデータを格納したレコードが作成される。想い出情報付勘定系テーブル13ａに格納されているレコードは，ＣＩＦ番号，口座番号，入金の年月日，預け入れ金額，取扱内容（ここに入金依頼人情報が入る），残高，年齢，所属，想い出情報確認フラグ，および想い出ナンバを含む。
【００４５】
年齢および所属は，入金が行われた時点（年月日によって特定される）における顧客の年齢および所属機関である。
【００４６】
想い出情報確認フラグは想い出情報（メッセージを表すデータ）の再生の有無を示すフラグであり，想い出情報が未再生である場合にオフ状態が継続し，一回でも再生されるとオンされる（フラグが立てられる）。想い出情報確認フラグによって想い出情報が再生されたかどうか（未再生であるかどうか）が表される。
【００４７】
想い出ナンバは想い出情報（想い出情報が付随する入金記録）ごとに採番されるユニークな符号であり，口座ごとに，想い出情報が付随する入金が行われるたびに採番される。
【００４８】
想い出情報テーブル13ｂ（図６）には，想い出ナンバによって特定される想い出情報を表すデータが格納される。想い出情報を表すデータは，テキスト（文字列），静止画，動画または音声のいずれかのデータ形式とされる。テキスト・データ，静止画データ，動画データまたは音声データが，想い出情報を表す実体的データとして想い出情報テーブル13ｂに格納される。
【００４９】
想い出情報テーブル13ｂには，想い出情報ごとに，想い出情報管理装置４の記憶装置13における想い出情報の記憶場所を表すＵＲＬ（Uniform Resource Locator）が格納されている。後述するように，想い出情報を再生するとき，上記ＵＲＬが顧客に提示（送信）され，このＵＲＬが用いられて特定の想い出情報（テキスト・データ，画像データまたは音声データ）がクライアント・コンピュータ５にダウンロードされる。
【００５０】
（想い出情報の登録処理）
図７，図８および図９は，振込処理および想い出情報の登録処理のときのクライアント・コンピュータ５，Ｗｅｂサーバ２，ホスト・コンピュータ３，および想い出情報管理装置４の処理手順を示すフローチャートである。図１０（Ａ）および図１０（Ｂ）はクライアント・コンピュータ５から送信される振込電文のデータ構造を示すもので，図１０（Ａ）は想い出情報の登録がないときの振込電文のデータ構造を，図１０（Ｂ）は想い出情報が付随するときの振込電文のデータ構造をそれぞれ示している。図１１から図１９は振込処理のときにクライアント・コンピュータ５の表示画面上に表示される各種ページ（ウインドウ）を示している。
【００５１】
はじめにクライアント・コンピュータ（以下，クライアントという）５においてブラウザが起動され，インターネット・バンキングのログイン・ページのＵＲＬが入力される。図１１に示すログイン・ページｗ１が表示画面上に表示される。ログイン・ページｗ１は契約者番号（ＩＤ）入力欄ｗ１ａ，暗証（パスワード）入力欄ｗ１ｂおよびログイン・ボタンｗ１ｃを含む。インターネット・バンキングを利用可能な顧客にあらかじめ通知されている契約者番号（ＩＤ）および暗証符号（パスワード）が，これらの契約者番号入力欄ｗ１ａおよび暗証入力欄ｗ１ｂにそれぞれ入力される（図７，ステップＳ１）。
【００５２】
ログイン・ボタンｗ１ｃがクリックされると，入力された契約者番号および暗証符号がネットワーク１を介してＷｅｂサーバ２に送信される。Ｗｅｂサーバ２は，記憶装置11に記憶されている会員テーブル11ａ（図２）を用いて認証処理を行う。認証が成功するとＷｅｂサーバ２はサービス選択ページ・データをクライアント５に送信する（図７，ステップＳ21，Ｓ２）。
【００５３】
図１２はサービス選択ページ・データによってクライアント５の表示画面上に表示されるサービス選択ページｗ２を示している。サービス選択ページｗ２には，残高・明細照会ｗ２ａ，定期預金のお預け入れｗ２ｂ，振込ｗ２ｃ，Ｗｅｂ通帳ｗ２ｄ，およびパスワードの変更ｗ２ｅの５つのサービスメニューが用意されている。想い出登録を行う場合には５つのサービスメニューのうちの振込の文字列（リンク）ｗ２ｃがクリックされる（図７，ステップＳ３）。
【００５４】
「振込」の文字列ｗ２ｃがクリックされると，振込ページ・データがＷｅｂサーバ２からクライアント５に送信され，振込用ぺージ（次に説明する依頼人名・出金口座の設定ページｗ３（図１３），振込先の選択ページｗ４（図１４），および振込先，振込金額の設定ページｗ５（図１５））が，クライアント５の表示画面上に表示される（図７，ステップＳ22，ステップＳ４）。振込用ページはＷｅｂサーバ２とホスト・コンピュータ３との間で複数回のデータの送受信が行われて作成されるが，その処理の詳細の説明は省略する。
【００５５】
はじめに図１３に示す依頼人名，出金口座の設定ページｗ３がクライアント５の表示画面に表示される。設定ページｗ３は，依頼人名入力欄ｗ３ａ，電話番号入力欄ｗ３ｂ，引き落とし口座（出金口座）指定欄ｗ３ｃおよび振込先指定欄ｗ３ｄを含む。これらの入力欄および指定欄が用いられて，依頼人名（振込人名），出金元口座（振込元口座）および入金先口座（振込先口座）が入力および指定される。入金先口座（振込先口座）が金融機関に登録済みであれば（たとえば，元帳属性テーブル12ａに記憶される），図１３に示す設定ページｗ３に代えて図１４に示す振込先の選択ページｗ４が表示される。振込先選択ページｗ４中の選択ボタンｗ４ａが用いられて入金先口座（振込先口座）を選択することができる。振込先選択ページｗ４中の「戻る」ボタンｗ４ｂは前回表示されていたページ（ここでは図１３の設定ページｗ３）を再び表示画面上に表示させる場合にクリックされる。このことは他のページでも同様である。
【００５６】
入金先口座（振込先口座）が選択されると，次に図１５に示す振込先，振込金額の設定ページｗ５が表示される。設定ページｗ５に含まれる振込金額入力欄ｗ５ａに選択した入金先口座（振込先口座）に入金すべき（振込むべき）金額が入力される（図７，ステップＳ５）。
【００５７】
振込先，振込金額の設定ページｗ５にはさらに想い出登録を行うかどうかを選択するためのチェックボックスｗ５ｂが含まれている。チェックボックスｗ５ｂには想い出登録「する」と，想い出登録「しない」の２つのチェックボックスがある。
【００５８】
想い出登録「しない」がチェックされ，「次へ」ボタンｗ５ｃがクリックされると，一般的な振込処理になる。すなわち，出金元口座（振込元口座），入金先口座（振込先口座），振込金額等を確認するためのページ・データがＷｅｂサーバ２からクライアント５に送信されて，振込確認ページ（図示略）が表示される（図７，ステップＳ５，ステップＳ23でNO，ステップＳ24，ステップＳ６）。振込確認ページに含まれる「振込実行」ボタンがクリックされると，図１０（Ａ）に示すデータ構造を有する振込電文Ｆ１がクライアント５からＷｅｂサーバ２を介してホスト・コンピュータ３に送信される（ステップＳ７，Ｓ８）。
【００５９】
図１０（Ａ）を参照して，振込電文Ｆ１はあらかじめ定められたデータ構造を有しており，ヘッダレコード，データレコード，トレーラーレコードおよびエンドレコードの組から構成される。ヘッダレコードは振込元金融機関番号，振込元金融機関名，振込元口座番号，取引日付等を含む。データレコードは振込先金融機関番号，振込先金融機関名称，振込先科目（普通，当座など），振込先口座番号，受取人名，依頼金額（振込金額）等を含む。トレーラーレコードは，複数の振込がまとめて行われるときの振込電文の件数（レコード件数），振込金額の合計等を含む。エンドレコードは振込データの終端である旨を表すデータ等を含む。
【００６０】
図８を参照して，振込電文を受信したホスト・コンピュータ３は，振込電文にしたがって勘定処理を行う（図８，ステップＳ31，Ｓ32）。勘定処理では振込電文に記載されている出金元口座（振込元口座）から振込金額が出金され，入金先口座（振込先口座）に振込金額が入金される。これらの口座の残高更新も行われる。振込元口座および振込先口座のそれぞれの元帳勘定系テーブル12ｂ（図４）において，入出金記録が追加され，かつ残高が更新される。
【００６１】
入金先口座（振込先口座）が他の金融機関の口座であれば，振込電文はホスト・コンピュータ３から全銀センター６（図１参照）を介して他の金融機関のホスト・コンピュータに送信される。この場合には，ホスト・コンピュータ３は出金元口座（振込元口座）に対して勘定処理を行い，入金先口座（振込先口座）の勘定処理は他の金融機関のホスト・コンピュータが実行する。
【００６２】
図７に戻って，振込先，振込金額の設定ページｗ５（図１５）のチェックボックスｗ５ｂにおいて想い出登録「する」がチェックされ，「次へ」ボタンｗ５ｃがクリックされた場合，Ｗｅｂサーバ２からクライアント５に想い出情報設定ページ・データが送信される（図７，ステップＳ５，ステップＳ23でYES，ステップＳ25）。
【００６３】
図１６は想い出情報設定ページ・データによって表される想い出情報設定ページｗ６を示している（図７，ステップＳ９）。
【００６４】
想い出情報設定ページｗ６は，メッセージ，写真（静止画），動画，音声のいずれのデータ形式のデータを想い出情報として登録するかを指定するためのチェック・ボックスｗ６ａ，「次へ」ボタンｗ６ｂおよび「戻る」ボタンｗ６ｃを含む。この実施例において，想い出情報は，メッセージ（テキスト），写真（静止画），動画および音声のいずれかの形式とされる。一または複数（全部でもよい）のデータ形式が，チェック・ボックスｗ６ａが用いられて指定される。
【００６５】
「次へ」ボタンｗ６ｂがクリックされると，図１７に示す想い出情報を入力（選択）するためのページｗ７がクライアント５の表示画面上に表示される。想い出情報入力ページｗ７はメッセージ入力欄ｗ７ａ，データ選択欄ｗ７ｂ，「次へ」ボタンｗ７ｃおよび「戻る」ボタンｗ７ｄを含む。メッセージ入力欄ｗ７ａにクライアント５の入力装置（キーボード等）が用いられて文章（テキスト）が入力される。データ選択欄ｗ７ｂにはクライアント５の記憶装置または外部記録媒体（ＵＳＢメモリなど）に記憶されている画像データまたは音声データのアドレス（パス）が記述される（ステップＳ10）。
【００６６】
「次へ」ボタンｗ７ｃがクリックされると，データチェック（データ量のチェック，データ形式のチェックなど）が行われ（ステップＳ11），図１８に示す振込の依頼内容確認ページｗ８が表示される。確認ページｗ８には出金口座（振込元口座），依頼人名，電話番号，入金先口座（振込先口座），振込金額，依頼日，振込日等が表示されるとともに，想い出情報入力ページ（図１７）を用いて入力された想い出情報（テキストのメッセージ，画像等）がプレビュー表示され，音声をプレ再生することができる。
【００６７】
振込の依頼内容確認ページｗ８の「振込実行」ボタンｗ８ａがクリックされると，図１９に示す振込完了ページｗ９がクライアント５の表示画面上に表示される。また，振込電文がＷｅｂサーバ２を介してホスト・コンピュータ３に送信され，かつ振込電文および想い出情報（想い出情報付振込電文）が，Ｗｅｂサーバ２を介して想い出情報管理装置４に送信される（図７，ステップＳ12）。図１０（Ｂ）を参照して，想い出情報管理装置４に送信される想い出情報付振込電文には，振込電文（図１０（Ａ）と同じ）に想い出データファイルＭが付随する。振込電文を受信したホスト・コンピュータ３では，上述のように勘定処理（入出金記録の追加，残高更新）が行われる（図８）。
【００６８】
図９を参照して，想い出情報付振込電文を受信した想い出情報管理装置４は，振込電文に記載されている振込先口座番号（図１０（Ｂ）参照）をホスト・コンピュータ３に送信し，受取人の生年月日，所属および口座残高の問い合わせ要求を行う（ステップＳ41，Ｓ42）。ホスト・コンピュータ３は元帳勘定系テーブル12ｂ（図４）を用いて振込先口座番号から受取人のＣＩＦ番号を特定する。ホスト・コンピュータ３は特定されたＣＩＦ番号を持つ顧客の生年月日および所属のデータを元帳属性テーブル12ａ（図３）から読出し，かつ振込後の口座残高を元帳勘定系テーブル12ｂから読出して，想い出情報管理装置４に送信する（ステップＳ44）。
【００６９】
想い出情報管理装置４は，想い出情報付振込電文に含まれる振込先口座番号を持つ想い出情報付勘定系テーブル13ａ（図５）に新たなレコードを作成し，クライアント５から受信した想い出情報付振込電文にしたがって，振込の年月日，預け入れ金額（振込金額），および取扱内容（振込人の氏名等）（入金情報）を格納する。また，ホスト・コンピュータ３から受信した生年月日から算出される顧客（受取人）の現在の年齢，現在の所属，および口座残高を，作成したレコードに格納する。さらに，作成された新たなレコードの想い出情報確認フラグに「０」（未再生）を格納し，想い出ナンバには新たな番号を採番して格納する。想い出情報管理装置４は，想い出情報テーブル13ｂ（図６）にも新たなレコードを作成し，新たに作成されたレコードに，採番された想い出ナンバ，想い出情報（想い出データファイルＭのデータ）および記憶装置13における想い出情報の記憶場所を表すＵＲＬを格納する（ステップＳ43）。これにより，入金（振込）に関連付けられた想い出情報の預入れ（登録）が完了する。
【００７０】
図１９を参照して，振込完了ページｗ９中の「ログアウト」ボタンｗ９ａがクリックされると，上述した振込処理（想い出情報の登録処理）が終了する。
【００７１】
（残高・明細照会処理）
上述のようにして入金先口座（振込先口座）への入金に関連付けられて登録される想い出情報は，口座残高および明細照会を通じて再生することができる。図２０から図２２は口座残高および明細照会処理におけるクライアント・コンピュータ５，Ｗｅｂサーバ２，ホスト・コンピュータ３および想い出情報管理装置４の処理手順を示すフローチャートである。図２３から図２５は口座残高および明細照会処理のときにクライアント・コンピュータ５の表示画面上に表示されるページ（ウインドウ）を示している。図２０に示すフローチャートおいて，図７に示すフローチャート中の処理と同一処理には同一符号を付し重複説明を省略する。
【００７２】
サービス選択ページｗ２（図１２）の「残高・明細照会」の文字列ｗ２ａがクリックされると，Ｗｅｂサーバ２からクライアント５に明細種類選択ページ・データが送信され，明細種類選択ページｗ10がクライアント５の表示画面上に表示される（図２０，ステップＳ１，Ｓ21，Ｓ２，Ｓ51，Ｓ61，Ｓ52）。
【００７３】
図２３は明細種類選択ページｗ10を示している。明細種類選択ページｗ10は「想い出明細」または「全ての明細」のいずれかを選択するためのチェック・ボックスｗ10ａ，「次へ」ボタンｗ10ｂおよび「戻る」ボタンｗ10ｃを含む。
【００７４】
「想い出明細」がチェックされた後に「次へ」ボタンｗ10ｂがクリックされると，ログインしている顧客の口座番号を含む想い出明細要求電文が，クライアント５からＷｅｂサーバ２を介して想い出情報管理装置４に送信される（図２０，ステップＳ53，ステップＳ62で「想い出」，ステップＳ63）。
【００７５】
明細要求電文を受信した想い出情報管理装置４は，明細要求電文に含まれる口座番号にしたがって，その口座番号についての想い出情報付勘定系テーブル13ａ（図５）をアクセスし，年月日（取引日付），入金金額（預け入れ），取扱内容（入金依頼人情報），残高，年齢，所属，想い出情報確認フラグ，および想い出ナンバを読出し，かつ上記想い出ナンバに関連付けられている想い出情報のＵＲＬを想い出情報テーブル13ｂ（図６）から読出し（以下，これらの読出されるデータを包括して「照会情報」という）を，Ｗｅｂサーバ２に送信する（図21，ステップＳ71，Ｓ72）。照会情報に想い出情報（テキスト・データ，画像データ，動画データ，音声データ）自体は含まれない。Ｗｅｂサーバ２は受信した照会情報を含む想い出明細ページ・データを作成してクライアント５に送信する（図20，ステップＳ64，Ｓ65）。クライアント５の表示画面に想い出明細ページｗ11が表示される（ステップＳ54）。
【００７６】
図２４は想い出明細ページｗ11を示している。
【００７７】
想い出明細ページｗ11には照会情報の内容が日付け順に表示される。
【００７８】
想い出明細ページｗ11中の「想い出情報」欄に想い出情報付勘定系テーブル13ａおよび想い出情報テーブル13ｂに記憶されている想い出ナンバが表示される。この想い出ナンバに，想い出情報テーブル13ｂに記憶されている想い出情報のＵＲＬを表すリンク（下線で示す）が記述されている。後述するように，想い出ナンバ（リンク）がクリックされると，クリックされた想い出情報がダウンロードされてその再生が行われる。
【００７９】
明細種類選択ページｗ10（図２３）のチェックボックスｗ10ａにおいて「全ての明細」が選択されて「次へ」ボタンｗ10ｃがクリックされると，クライアント５からホスト・コンピュータ３に顧客の口座番号を含む全明細要求電文が送信される（図20，ステップＳ62で「全明細」，ステップＳ66）。図２２を参照して，全明細要求電文を受信したホスト・コンピュータ３は，想い出情報管理装置４に想い出情報の問い合わせを行う（ステップＳ73，Ｓ74）。問い合わせを受付けた想い出情報管理装置４は，想い出ナンバ，ＵＲＬおよび想い出情報確認フラグの組をホスト・コンピュータ３に送信する（図２２，ステップＳ76）。ホスト・コンピュータ３は，元帳勘定系テーブル12ｂ（図４）に格納されている入出金記録を，想い出情報が付随するものについては想い出情報管理装置４から受信した想い出ナンバ，ＵＲＬおよび想い出情報確認フラグを含めて，Ｗｅｂサーバ２に送信する（図２２，ステップＳ75）。
【００８０】
Ｗｅｂサーバ２は受信した入出金記録を含む全明細ページ・データを作成し，クライアント５に送信する（図２０，ステップ67，68）。
【００８１】
図２５は全明細ページ・データによって表される残高・入出金明細ページｗ12を示している。上述したように，想い出情報が付随する入金記録については想い出情報管理装置４からホスト・コンピュータ３に想い出ナンバおよびＵＲＬが送信されるので，残高・入出金明細ページｗ12にも，想い出情報のＵＲＬを示すリンクを持つ想い出ナンバを，想い出情報欄に表示することができる。
【００８２】
図２４に示す想い出明細ページｗ11および図２５に示す残高・入出金明細ページｗ12中の想い出情報欄に，「未確認」の文字が付随している想い出情報のリンクがある。これは，想い出情報の再生が未だ行われていないものであることを意味する。「未確認」の文字は，想い出情報付勘定系テーブル13ａ（図５）の想い出情報確認フラグに「０」が格納されている場合に表示される。後述するように，想い出情報が再生されると，想い出情報付勘定系テーブル13ａにおいて想い出情報確認フラグは「１」となり，「未確認」の文字はその後表示されないことになる。
【００８３】
（想い出情報の再生）
図２６は想い出情報を再生するときのクライアント５，Ｗｅｂサーバ２，ホスト・コンピュータ３，および想い出情報管理装置４の処理手順を示すフローチャートである。図２７から図２９は想い出情報再生時にクライアント５の表示画面上に表示されるウインドウを示している。
【００８４】
上述したように，想い出明細ページｗ11（図２４）または残高・入出金明細ページｗ12（図２５）において，想い出情報欄に表示されている想い出ナンバには，その想い出ナンバによって特定される想い出情報へのリンク（ＵＲＬ）が記述されている。想い出ナンバがクリックされると（図２６，ステップＳ81），後述するように，クリックされた想い出ナンバによって特定される想い出情報の要求電文が想い出情報管理装置４に送信される。
【００８５】
想い出情報の要求電文の送信に先立って，Ｗｅｂサーバ２からホスト・コンピュータ３に顧客の所属の問合わせ要求が行われる（ステップＳ91）。所属の問合わせ要求を受信したホスト・コンピュータ３は元帳属性テーブル12ａ（図３）をアクセスして所属欄に格納されているデータを読出し，Ｗｅｂサーバ２に送信する（ステップＳ101 ）。Ｗｅｂサーバ２は受信した所属データを含む所属確認ページ・データを作成してクライアント５に送信する（ステップＳ92）。
【００８６】
図２７は所属確認ページｗ13を示している。
【００８７】
所属確認ページｗ13は所属表示欄ｗ13ａを含み，ここにホスト・コンピュータ３の元帳属性テーブル12ａ（図３）に現時点で登録されている顧客の所属機関名が表示される（ステップＳ82）。
【００８８】
所属表示欄ｗ13ａに表示されている所属機関名が顧客の現時点の所属機関と合致していれば「次へ」ボタンｗ13ｂがクリックされる。顧客の現時点の所属機関と異なる所属機関名が表示されている場合に，「変更」ボタンｗ13ｃがクリックされる。
【００８９】
「変更」ボタンｗ13ｃがクリックされると，所属機関入力ページ・データがＷｅｂサーバ２からクライアント５に送信される（ステップ83でYES ，ステップS93，S84）。
【００９０】
図２８は所属機関変更ページｗ14を示している。
【００９１】
所属機関変更ページｗ14は所属機関名入力欄ｗ14ａを含む。所属機関名入力欄ｗ14ａに，変更後の所属機関名が入力される（ステップＳ85）。
【００９２】
所属機関変更ページｗ14において「登録」ボタンｗ14ｂがクリックされると，入力された新たな所属機関名を表すデータがＷｅｂサーバ２を介してホスト・コンピュータ３に送信される。ホスト・コンピュータ３は受信した新たな所属名を元帳属性テーブル12ａに格納する（ステップＳ94，ステップＳ102 ）。元帳属性テーブル12ａにおける顧客の所属データを，想い出情報の再生のタイミングにおいて最新の情報にすることができる。
【００９３】
所属機関変更ページｗ14において「登録」ボタンｗ14ｂがクリックされる，または所属機関確認ページｗ13において「次へ」ボタンｗ13ｂがクリックされると，リンク先データ要求がクライアント５からＷｅｂサーバ２を介して想い出情報管理装置４に送信される（ステップＳ95またはステップＳ86）。想い出情報管理装置４はクリックされた想い出ナンバに対応する想い出情報を想い出情報テーブル13ｂ（図６）から読出し，かつ，その想い出ナンバに関連付けられている年月日，入金（預け入れ）金額，取扱内容（入金依頼人情報），年齢および所属のデータを想い出情報付勘定系テーブル13ａ（図５）から読出し，Ｗｅｂサーバ２を介してクライアント５に送信する（ステップＳ103 ，ステップＳ96）。また，想い出情報管理装置４はクリックされた想い出情報についての確認フラグ（図５）がオフ（「０」）されていればオン（「１」）にする（ステップＳ104）。
【００９４】
図２９および図３０は想い出情報再生ページを示している（ステップＳ87）。
【００９５】
図２９はテキストのメッセージによる想い出情報の再生ページである。
【００９６】
想い出情報再生ページｗ15は入金情報表示欄ｗ15ａ，メッセージ表示欄ｗ15ｂ，所属機関変更ボタンｗ15ｃ，画像・音声再生ページへの切換えボタンｗ15ｄ，および「戻る」ボタンｗ15ｅを含む。入金情報表示欄ｗ15ａに，入金（振込）が行われたときの年月日，入金金額および取扱内容（誰からの振込であるか，振込人情報）が表示される。メッセージ表示欄ｗ15ｂに想い出情報テーブル13ｂから読み出された想い出情報（テキスト・データに基づく文章のメッセージ）が表示される。さらに，メッセージ表示欄ｗ15ｂの下側には，想い出情報付勘定系テーブル13ａに格納されている，振込が行われたとき（振込年月日）の顧客（受取人）の年齢および所属機関名（符号ｗ15ｆで示す）が表示される。想い出情報を再生している顧客が，何歳のとき，そしてどこに所属していたときのメッセージであるかを確認することができる。
【００９７】
所属機関変更ボタンｗ15ｃがクリックされると，上述した所属機関変更ページｗ14（図２８）を表示画面上に表示させることができる。
【００９８】
「画像・音声再生へ」ボタンｗ15ｄがクリックされると，画像（静止画または動画）または音声についての想い出情報再生ページｗ16（図３０）に切り替わる。画像・音声の想い出情報再生ページｗ16は，入金情報表示欄ｗ16ａ，画像表示欄ｗ16ｂ，動画または音声の場合の操作ボタン（動画（音声）を先頭から再生する場合にクリックされる「はじめから」ボタンｗ16ｃ，動画（音声）再生を一時的に停止するための一時停止ボタンｗ16ｄ，動画（音声）再生を終了する場合の終了ボタンｗ16ｅ），テキストメッセージの想い出情報再生ページｗ15への切換えボタンｗ16ｆ，所属機関変更ボタンｗ16ｇ，および「戻る」ボタンｗ16ｈを含む。画像表示欄ｗ16ｂに，静止画または動画の想い出情報が表示される。音声は，クライアント５に接続されたスピーカ（図示略）から出力される。画像（音声）の想い出情報再生ページｗ16にも，振込が行われたとき（振込年月日）の顧客（受取人）の年齢および所属機関名（符号ｗ16ｉで示す）が表示される。
【００９９】
想い出情報付勘定系テーブル13ａ（図５）および想い出情報テーブル13ｂ（図６）のデータは，口座が廃止されない限り想い出情報管理装置４の記憶装置13に保存される。このため，数年後，数十年後にも想い出情報を再生することができる。想い出情報は入金情報（入金先口座番号，入金金額，入金依頼人情報および取引日付）に関連付けられ，かつ入金者（振込依頼人）が入金時に作成するものである。いつ，誰から，どのような趣旨でいくら入金されたのかを，想い出情報再生ページｗ15，ｗ16でいつでも確認することができる。また，その当時の自分の年齢および所属も表示されるので，入金（振込）が行われた当時の自分の様子についても想い出すことができる。
【０１００】
上述した第１実施例では，想い出情報が付随する振込を受取る受取人の想い出情報付勘定系テーブル13ａ（図５）に入金情報に関連付けて想い出ナンバを格納し，その想い出ナンバに関連付けて想い出情報およびＵＲＬを想い出情報テーブル13ｂ（図６）に格納して，受取人が残高・明細照会を行うときに想い出情報を再生するようにしているが，これに加えて，想い出情報が付随する振込を行う振込人の想い出情報付勘定系テーブルにも，出金情報に関連付けて上記想い出ナンバを格納するようにしてもよい。図３１に示すように，この場合には振込人の想い出情報付勘定系テーブル13ｃにおいて，引き出し金額を含む出金情報に関連付けて想い出ナンバが格納される。受取人のみならず振込人も，想い出情報を再生することができる。
【０１０１】
想い出情報は，登録後一定期間は受取人が再生できないようにしてもよい。
【０１０２】
［第２実施例］
（想い出バンク・システムの全体構成）
図３２は第２実施例の想い出バンク・システムの全体的構成を示すブロック図である。
【０１０３】
第２実施例の想い出バンク・システムは，ネットワーク１に接続されたホスト・コンピュータ３Ａ，想い出情報管理装置４Ａ，複数台の自動取引装置（以下，ＡＴＭという）７および想い出情報登録機８を含む。第２実施例の想い出バンク・システムでは，銀行に設置されているＡＴＭ７および想い出情報登録機８が想い出情報の登録に用いられる。想い出情報の再生にはＡＴＭ７，携帯電話を含む通信可能な携帯端末等が用いられる。
【０１０４】
図３３はＡＴＭ７の外観を示す斜視図，図３４はＡＴＭ７を構成する各種装置のブロック図である。
【０１０５】
ＡＴＭ７は，ＡＴＭ７の全体的動作を統括的に制御する制御装置20を備えている。制御装置20はＣＰＵ，メモリ等を含む。制御装置20に，各種のガイダンス画面を表示し，かつ顧客による各種の入力および選択を受付けるタッチパネルを含む表示／入力装置21，硬貨の入出金処理を行う硬貨処理装置22，紙幣の入出金処理を行う紙幣処理装置23，通帳記入，通帳発行等を行う通帳処理装置24，および挿入されるキャッシュカードに記録されている情報の読取処理，取引情報が印字されたジャーナル用紙の排出処理等を行うカード／明細処理装置25，データの送受信を行う送受信装置26が接続されている。制御装置20に接続された記憶装置27に上述の各種装置の動作を制御するためのプログラムおよびデータが記憶されている。ＡＴＭ７の表示／入力装置21に表示されるガイダンス画面にしたがって選択および入力を行うことにより，入金，出金，振込，想い出情報の登録等を行うことができる。
【０１０６】
図３５は想い出情報登録機８の斜視図，図３６は想い出情報登録機８を構成する装置のブロック図である。
【０１０７】
想い出情報登録機８は想い出情報の登録のために用いられる専用装置であり，たとえば，銀行内において専用ブース内に設置される。詳細は後述するが，想い出情報を登録しようとする顧客は，上述したＡＴＭ７を用いて入金（振込）を行い，その後に専用ブース内に設置された想い出情報登録機８を操作して，ＡＴＭ７を用いて行われた入金に関連付けて想い出情報を登録する。
【０１０８】
想い出情報登録機８は，想い出情報登録機８の全体的動作を統括的に制御する制御装置30を備えている。制御装置30はＣＰＵ，メモリ等を含む。制御装置30に，被写体を撮像するカメラ31，各種ガイダンス画面を表示しかつ顧客による各種の入力および選択を受付けるタッチパネルを含む表示／入力装置32，音声を出力するスピーカを含む音声再生装置33，ＵＳＢメモリ等の記録媒体が装着され，ＵＳＢメモリ等に記録されているデータを読取るデータ読取装置34，音声の入力を受付けるマイクロフォンを含む音声入力装置35，バーコードまたは二次元コードを読取るスキャナ36，登録内容等が印字された印刷物を排出するプリンタ37，およびデータの送受信を行う送受信装置38が接続されている。制御装置30に接続された記憶装置39には上述の各種装置を制御するためのプログラムおよびデータが記憶されている。また，想い出情報登録機８は被写体（想い出情報登録機８の前方）を照明するための照明器具40を備えている。詳細は後述するが，カメラ31による撮像によって得られる静止画または動画，表示／入力装置32を用いて入力される文章，音声入力装置35を用いて入力される音声，ＵＳＢメモリ等から読み出される静止画または動画が想い出情報として扱われる。
【０１０９】
図３２に戻ってホスト・コンピュータ３Ａおよび想い出情報管理装置４Ａはいずれもコンピュータ・システムによって実現され，いずれもＣＰＵ，記憶装置（ハードディスクなど），通信装置（ネットワーク・カード）などを含む。
【０１１０】
ホスト・コンピュータ３Ａは，第１実施例と同様，銀行業務（預金受入業務，為替業務など）を統括するコンピュータである。ホスト・コンピュータ３Ａに接続された記憶装置12Ａには第１実施例と同様，元帳属性テーブル12ａ（図３）および元帳勘定系テーブル12ｂ（図４）を含む元帳データベースが記憶され，口座を開設している顧客のそれぞれについての入出金記録等が記憶されている。
【０１１１】
想い出情報管理装置４Ａも，第１実施例と同様に，預入れられる想い出情報の管理業務処理を行うコンピュータである。想い出情報管理装置４Ａに接続された記憶装置13Ａには，第１実施例と同様に，想い出情報付勘定系テーブル13ａ（図５）および想い出情報テーブル13ｂ（図６）を含む想い出情報データベースが記憶され，入金（振込）に付随して登録された想い出情報等が記憶されている。
【０１１２】
（想い出情報の登録処理）
第１実施例と同様に，第２実施例においても，口座に入金（振込）を行うときに想い出情報は登録され，入金に関連付けられて想い出情報は登録される。第２実施例において，口座への入金はＡＴＭ７を用いて行われる。想い出情報の登録には想い出情報登録機８が用いられる。
【０１１３】
図３７は，口座に振込を行うときのＡＴＭ７およびホスト・コンピュータ３Ａの処理手順を示すフローチャートである。図３８（Ａ）〜（Ｃ）はＡＴＭ７の表示／入力装置21に表示されるガイダンス画面を示している。ＡＴＭ７を用いて行われる出金元口座（振込元口座）の指定，入金先口座（振込先口座）の指定，入金金額の指定等は，基本的に第１実施例と同様にして行われるので，その詳細な説明は省略する。
【０１１４】
はじめに振込処理が行われる（ステップＳ201 ）。キャッシュ・カードがＡＴＭ７のカード／明細処理装置25のカード挿入口に挿入され，その後暗証番号が表示／入力装置21を用いて入力されることによって振込可能な状態になる。表示／入力装置21が用いられて入金先口座（振込先口座），振込金額等が入力される。出金元口座（振込元口座）はキャッシュカードによって特定される。振込元口座，振込先口座，振込金額等を含む振込電文（図１０（Ａ）参照）がＡＴＭ７からホスト・コンピュータ３Ａに送信される。ホスト・コンピュータ３Ａは振込電文に基づいて勘定処理を行う（ステップＳ211）。
【０１１５】
振込処理を終えると，図３８（Ａ）に示す想い出情報の登録を行うかどうかを確認する確認画面ｇ１がＡＴＭ７の表示／入力装置21に表示される。想い出情報登録確認画面ｇ１は「はい」ボタンｇ１ａ，「いいえ」ボタンｇ１ｂを含む。
【０１１６】
「いいえ」ボタンｇ１ｂがタッチされると，ＡＴＭ７はそのまま処理を終了する（ステップＳ202でNO）。
【０１１７】
「はい」ボタンｇ１ａがタッチされると，図３８（Ｂ）に示す想い出登録用暗証番号設定画面ｇ２が表示／入力装置21に表示される。想い出情報の登録は，上述したようにＡＴＭ７ではなく想い出情報登録機８を用いて行われ，次に説明するように想い出情報登録機８を用いて想い出情報登録を行うときに想い出登録用暗証番号が必要とされる。想い出情報登録用の暗証番号の設定がＡＴＭ７を用いて行われる。
【０１１８】
想い出登録用暗証番号設定画面ｇ２は「はい」ボタンｇ２ａおよび「いいえ」ボタンｇ２ｂを含む。「いいえ」ボタンｇ２ｂがタッチされると，キャッシュ・カードに用いられている暗証番号（通常暗証番号）が，想い出情報登録機８を用いて想い出情報登録を行うときの暗証番号とされる。キャッシュカードの暗証番号がホスト・コンピュータ３Ａに送信される（ステップＳ203でNO，ステップＳ205）。もちろん，ホスト・コンピュータ３Ａの元帳属性テーブル12ａにはキャッシュカードの暗証番号等も記憶されているので（図３において図示略），キャッシュカードの暗証番号（通常暗証番号）を用いる旨を表すデータをホスト・コンピュータ３Ａに送信するようにしてもよい。
【０１１９】
「はい」ボタンｇ２ａがタッチされると（ステップ203でYES），図３８（Ｃ）に示す想い出登録用暗証番号入力画面ｇ３が表示／入力装置21に表示される。想い出登録用暗証番号入力画面ｇ３は暗証番号入力欄ｇ３ａ，暗証番号選択キーｇ３ｂ，および「戻る」ボタンｇ３ｃを含む。暗証番号選択キーｇ３ｂに含まれる１〜９の数字のうちの任意の４つの数字が順にタッチされると，その組合わせ（順序を含む）が想い出情報登録用の暗証番号とされる。
【０１２０】
暗証番号はＡＴＭ７からホスト・コンピュータ３Ａに送信され，振込元口座番号と関連付けられてホスト・コンピュータ３Ａのメモリに一時的に記憶される（ステップＳ204 ，Ｓ212）。
【０１２１】
暗証番号を受信したホスト・コンピュータ３Ａはまた，有効期限（たとえば，現在の年月日から一週間後の年月日）を設定し，有効期限，振込元口座番号，振込先口座番号，振込金額，振込日等を表す二次元コードを作成し，有効期限を表す文字データと二次元コードとをＡＴＭ７に送信する（ステップＳ213 ）。有効期限を表す文字データおよび二次元コードを受信したＡＴＭ７はカード／明細処理装置25からキャッシュカードおよび取引情報（振込情報）が印字されたジャーナル用紙を排出するとともに，有効期限の記載および二次元コード画像を含む想い出登録シートを出力する（ステップＳ206）。
【０１２２】
図３９はＡＴＭ７から排出される想い出登録シートＳ１を示している。
【０１２３】
想い出登録シートＳ１は，振込情報（銀行名，支店名，口座番号，振込先の名義）Ｓ１ａ，有効期限Ｓ１ｂおよび２次元コードＳ１ｃが印刷されたシートである。想い出登録シートＳ１は，次に説明する想い出情報登録機８を用いて行われる想い出情報登録に用いられる。
【０１２４】
図４０は，想い出情報を登録するときの想い出情報登録機８，ホスト・コンピュータ３Ａ，および想い出情報管理装置４Ａの処理手順を示すフローチャートである。
【０１２５】
上述のようにしてＡＴＭ７を用いて振込処理を行い，かつ想い出情報の登録を希望する顧客には想い出登録シートＳ１（図３９）が発行される。想い出情報の登録を希望する顧客は，この想い出登録シートＳ１を持って想い出情報登録機８の設置場所に向かう。はじめに，想い出登録シートＳ１に印字されている二次元コードＳ１ｃが，想い出情報登録機８のスキャナ36によって読み取られる（ステップＳ221）。
【０１２６】
想い出登録シートＳ１の二次元コードＳ１ｃは，上述したようにＡＴＭ７を用いて振込処理が行われたときに入力された振込元口座番号，振込先口座番号，振込金額，振込日等の振込情報と，有効期限を含む。二次元コードＳ１ｃが読取られることによって，想い出情報登録機８は，二次元コードＳ１ｃの内容，すなわち振込元口座番号，振込先口座番号，振込金額，振込日等の振込情報と，有効期限をメモリに一時的に記憶する。
【０１２７】
現在の日付が，二次元コードＳ１ｃによって表される想い出情報の登録有効期限内であるかどうかが判断される（ステップＳ222 ）。ＡＴＭ７を利用した振込のときから長い期間が経過した後に想い出情報の登録を許すと，登録される想い出情報が，入金（振込）時の想い出情報ではないものになるので，これを拒否する趣旨である。
【０１２８】
現在の年月日が想い出情報の登録有効期限を経過していれば，想い出情報の登録は行われず想い出情報登録機８の処理は終了する（ステップＳ222でNO）。
【０１２９】
現在の年月日が想い出情報の登録有効期限内であれば，暗証番号の入力に進む（ステップS222でYES）。表示／入力装置32が用いられて暗証番号が入力される（ステップ223）。
【０１３０】
入力された暗証番号は，振込元口座番号とともに想い出情報登録機８からホスト・コンピュータ３Ａに送信される。上述したように，想い出情報登録用の暗証番号は振込元口座番号と関連づけられてホスト・コンピュータ３Ａのメモリに一時的に登録されている。ホスト・コンピュータ３Ａは，想い出情報登録機８から送信された振込元口座番号にしたがって，その振込元口座番号に関連づけられてメモリに記憶されている暗証番号と，想い出情報登録機８から送信された暗証番号を対比することによって，一致するかどうかを判断する（ステップＳ231）。
【０１３１】
２つの暗証番号が一致するとＯＫ信号が，不一致であればＮＧ信号が，それぞれホスト・コンピュータ３Ａから想い出情報登録機８に送信される（ステップＳ232，233）。ＮＧ信号を受信した想い出情報登録機８は再度の（正しい）暗証番号の入力を顧客に求める画面を表示／入力装置32に表示する（ステップS224でNG）。ＯＫ信号を受信した想い出情報登録機８は想い出情報の登録受付に進む（ステップＳ224でOK，ステップ225）。
【０１３２】
想い出情報の登録には，上述したように，想い出情報登録機８が備えるカメラ31，表示／入力装置32，音声入力装置35，およびデータ読取装置34が用いられる。表示／入力装置32が用いられてテキストのメッセージが入力される。カメラ31および音声入力装置35が用いられて画像と音声（動画）が入力される。データ読取装置34が用いられてＵＳＢメモリ等にあらかじめ記録されている画像データが入力される。
【０１３３】
想い出情報（文章，画像）の入力を終えると，入力された文章，画像を表すプレビュー画面が表示／入力装置32に表示される（ステップＳ226 ）。音声を含む場合には音声再生装置33から音声が再生される。プレビュー画面の内容でＯＫであれば，入力された想い出情報と，想い出登録シート（二次元コード）を読取ることによって得られた振込情報とが，互いに関連付けられて想い出情報登録機８から想い出情報管理装置４Ａに送信される（ステップ227）。
【０１３４】
想い出情報管理装置４Ａは，第１実施例と同様にして，受取人の口座番号（振込先口座番号）の想い出情報付勘定系テーブル13ａ（図５）に新たなレコードを作成して，振込情報に基づく入金情報を格納し，かつ受信した想い出情報を想い出情報テーブル13ｂ（図６）に格納する（ステップＳ241 ）。想い出情報テーブル13ｂ（図６）には想い出情報のＵＲＬ（リンク）も記憶される。もちろん，第２実施例においても，第１実施例と同様にして，ホスト・コンピュータ３Ａに問い合わせを行って顧客の年齢および所属を想い出情報付勘定系テーブル13ａ（図５）に格納することができる。
【０１３５】
（想い出情報の再生）
図４１は想い出情報の再生時のＡＴＭ７，ホストコンピュータ３Ａおよび想い出情報管理装置４Ａの処理手順を示すフローチャートである。図４２（Ａ）〜（Ｄ）は想い出情報再生時にＡＴＭ７の表示／入力装置21に表示される各種画面を示している。
【０１３６】
ＡＴＭ７の通帳処理装置24の通帳挿入口に通帳を挿入し，表示／入力装置21を用いて通帳記帳を選択すると，ホスト・コンピュータ３Ａは元帳勘定系テーブル12ｂ（図４）から未記帳の入出金記録を読出してＡＴＭ７に送信する。上述のように，元帳勘定系テーブル12ｂには記帳済みフラグが入出金記録ごとに格納されており，この記帳済みフラグによって未記帳であるかどうかが判断される。ＡＴＭ７において未記帳分の入出金記録が通帳に印字される（ステップＳ251，ステップＳ261）。
【０１３７】
通帳記帳を終えると，ＡＴＭ７は想い出情報管理装置４Ａに想い出情報の問い合わせを行う（ステップＳ252 ）。この問い合わせには通帳処理装置24に挿入された通帳から読み取られた口座番号を含むのは言うまでもない。想い出情報管理装置14は，受信した想い出情報の問い合わせにしたがって，問い合わせに含まれる口座番号について未再生の想い出情報が想い出情報付勘定系テーブル13ａ（図５）に記憶されているかどうかをチェックする（ステップＳ271）。
【０１３８】
未再生の想い出情報が存在する場合，その旨を表すデータが想い出情報管理装置４ＡからＡＴＭ７に送信され，これに応じてＡＴＭの表示／入力装置21に新着情報画面ｇ４（図４２（Ａ））が表示される（ステップＳ253 ）。新着情報画面ｇ４中の「いいえ」ボタンがタッチされると想い出情報再生は行われず，ＡＴＭ７の処理は終了する（ステップＳ254でNO）。
【０１３９】
新着情報画面ｇ４中の「はい」ボタンがクリックされると，想い出情報管理装置４Ａは想い出情報付勘定系テーブル13ａ（図５）から日付，金額，取扱内容（入金依頼人情報）および想い出情報確認フラグを，想い出情報テーブル13ｂ（図６）から想い出情報のＵＲＬをそれぞれ読出し，ＡＴＭ７に送信する（ステップＳ254でYES，ステップS272）。想い出情報自体はここでは送信されない。ＡＴＭ７の表示／入力装置21に想い出情報が付随する入金情報の一覧画面ｇ５（図４２（Ｂ））が表示される（ステップ255）。
【０１４０】
一覧画面ｇ５中には想い出情報ごとに「詳細表示」の文字列が含まれ，想い出情報が未再生のものについてはさらに「未確認」の文字が表示される。「詳細表示」の部分には想い出情報のＵＲＬ（リンク）が含まれるのは第１実施例と同様である。「詳細表示」がタッチされると，ＵＲＬにしたがってタッチされた想い出情報（テキスト・データ，画像データなど）が想い出情報管理装置４Ａにおいて想い出情報テーブル13ｂ（図６）から読出されてＡＴＭ７に送信され，図４２（Ｃ）および図４２（Ｄ）に示すように，ＡＴＭ７の表示／入力装置21に想い出情報再生画面ｇ６，ｇ７が表示される（ステップＳ256 ，ステップＳ273，ステップＳ257）。通帳記帳時に想い出情報の新規登録の有無を確認することができ，さらに想い出情報を再生することができる。
【０１４１】
新規（未再生）の想い出情報が存在しない場合にも，想い出情報を再生するかどうかを顧客に確認する画面（図４２（Ａ）と同様の画面）を，通帳記帳時にＡＴＭ７の表示／入力装置21に表示するようにしてもよいのは言うまでもない。また未確認の文字が表示される未再生の想い出情報が付随する入金情報のみを一覧画面ｇ５（図４２（Ｂ））に表示するようにしてもよい。
【０１４２】
［第１変形例］
図４３および図４４は第２実施例の第１変形例を示すもので，図４３は入出金記録（取引内容）が印字された通帳Ｔ１（開かれた状態）を示している。図４４は第２実施例の第１変形例におけるＡＴＭ７，ホスト・コンピュータ３および想い出情報管理装置４Ａの処理手順を示すフローチャートである。
【０１４３】
第２実施例の第１変形例では，想い出情報が登録されている場合（想い出情報が想い出情報テーブル13ｂに記憶されている場合），ＡＴＭ７を用いて通帳記帳を行うと，通帳Ｔ１の行単位に入出金記録を記帳する欄に想い出情報管理装置４Ａの想い出情報テーブル13ｂに格納されている想い出情報のＵＲＬ（図６参照）を表す二次元コードＴ１ａが記帳される。二次元コードＴ１ａは，後述するように，たとえば携帯電話が用いられて読取られ，ＵＲＬにしたがって想い出情報が携帯電話にダウンロードされて再生される。
【０１４４】
図４４を参照して，ＡＴＭ７の通帳処理装置24に通帳Ｔ１が挿入され，かつＡＴＭ７の表示／入力装置21が用いられて通帳記帳が選択されると，挿入された通帳Ｔ１の口座番号を含む通帳記帳要求がＡＴＭ７からホスト・コンピュータ３Ａに送信される（ステップＳ281 ）。通帳記帳要求を受信したホスト・コンピュータ３Ａは，通帳記帳要求に含まれる口座番号を持つ元帳勘定系テーブル12ｂ（図４）をアクセスし，未記帳分の入金記録に関して，その入金記録に対応する想い出情報が存在するかどうかを想い出情報管理装置４Ａに問い合わせる（ステップＳ291 ）。この問い合わせには日付，入金金額（預け入れ金額），取扱内容（入金依頼人情報）など，想い出情報管理装置４Ａの想い出情報付勘定系テーブル13ａに格納されている入金情報を特定する情報が含まれるのは言うまでもない。
【０１４５】
問い合わせを受付けた想い出情報管理装置４Ａは，想い出情報付勘定系テーブル13ａ（図５）をアクセスし，未記帳分の入金記録に対応する想い出情報が存在するかどうかを確認し，存在する場合，その想い出情報のＵＲＬをホスト・コンピュータ３Ａに送信する（ステップＳ301 ）。ＵＲＬを受信したホスト・コンピュータ３ＡはＵＲＬを二次元コードＴ１ａに変換し，二次元コードＴ１ａを含む未記帳分の入出金記録をＡＴＭ７に送信する（ステップＳ292，Ｓ293）。ＡＴＭ７はＵＲＬを表す二次元コードＴ１ａを含む入出金記録を通帳Ｔ１に記帳する（Ｓ282 ，図４３）。
【０１４６】
携帯電話の撮像機能および二次元コード認識機能を用いて通帳Ｔ１に記帳されている二次元コードＴ１ａが撮像されて読込まれると，二次元コードＴ１ａによって特定されるＵＲＬが携帯電話において認識される。携帯電話の通信機能を用いてそのＵＲＬにアクセスを行うことで，想い出情報管理装置４Ａから携帯電話に想い出情報をダウンロードされる。携帯電話の表示画面上に想い出情報を再生することができる。もちろん，ＩＤおよびパスワードを入力を求めて，認証が成功したときに想い出情報を携帯電話にダウンロードしてもよい。
【０１４７】
上述した第１変形例ではホスト・コンピュータ３ＡによってＵＲＬを表す二次元コードＴ１ａが作成されているが（ステップＳ292 ），二次元コードＴ１ａの作成は，ホスト・コンピュータ３Ａに代えて，想い出情報管理装置４Ａに行わせてもよいし，またはＡＴＭ７に行わせてもよい。また，入金（振込）依頼人の通帳にも二次元コードＴ１ａを記帳してもよい。
【０１４８】
［第２変形例］
図４５および図４６は第２実施例の第２変形例を示すもので，図４５は通帳Ｔ２の外観を示している。図４６は第２実施例の第２変形例におけるＡＴＭ７，ホスト・コンピュータ３および想い出情報管理装置４Ａの処理手順を示すフローチャートである。図４６に示すフローチャートにおいて，図４４に示すフローチャートと同一の処理には同一符号を付し，重複した詳細な説明を省略する。
【０１４９】
上述した第２実施例の第１変形例においては，想い出情報をダウンロードするためのＵＲＬを表す二次元コードＴ１ａが通帳Ｔ１に記帳されるが，第２変形例では二次元コードＴａ１は通帳Ｔ２に記帳されず，これに代えて想い出情報そのものが通帳Ｔ２に記憶される。想い出情報の記憶のために，通帳Ｔ２にはＩＣチップＭ１が装着（貼付）されている。次に説明するように，通帳記帳時に，想い出情報管理装置４Ａの想い出情報テーブル13ｂに記憶されている想い出情報（または想い出情報および想い出情報に関連付けられている入金情報の組）が，通帳Ｔ２のＩＣチップＭ１に記憶される。ＩＣチップＭ１は集積回路（ＩＣ）および半導体メモリを含む。ＡＴＭ７の通帳処理装置24にはＩＣチップＭ１の半導体メモリにデータを書込む書込み装置が備えられる。
【０１５０】
図４６を参照して，ＡＴＭ７の通帳処理装置24に通帳Ｔ２が挿入され，かつＡＴＭ７の表示／入力装置21が用いられて通帳記帳が選択されると，挿入された通帳Ｔ２の口座番号を含む通帳記帳要求がＡＴＭ７からホスト・コンピュータ３Ａに送信され（ステップＳ281 ），これに応じてホスト・コンピュータ３Ａは通帳記帳要求に含まれる口座番号を持つ元帳勘定系テーブル12ｂ（図４）をアクセスして，未記帳分の入金記録に対応する想い出情報が存在するかどうかを想い出情報管理装置４Ａに問い合わせる（ステップＳ291 ）。想い出情報管理装置４Ａは，未記帳分の入金記録に対応する想い出情報のＵＲＬを，ホスト・コンピュータ３Ａに送信する（ステップＳ301）。
【０１５１】
ＵＲＬを含む未記帳分の入出金記録がホスト・コンピュータ３ＡからＡＴＭ７に送信される（ステップＳ294）。
【０１５２】
ＵＲＬを含む入出金記録を受信したＡＴＭ７は，受信した未記帳分の入出金記録を通帳Ｔ２に記帳する（ステップＳ283 ）。さらに，ＡＴＭ７は，受信したＵＲＬを用いて想い出情報のダウンロード要求を想い出情報管理装置４Ａに送信する（ステップＳ284）。
【０１５３】
想い出情報管理装置４Ａは，ＡＴＭ７からのダウンロード要求にしたがって想い出情報を想い出情報テーブル13ｂ（図６）から読出し，ＡＴＭ７に送信する（ステップＳ302 ）。ＡＴＭ７の通帳処理装置24は受信した想い出情報を通帳Ｔ２に装着（貼付）されているＩＣチップＭ１に書込む。通帳Ｔ２のＩＣチップＭ１に想い出情報が記憶される（ステップＳ285 ）。
【０１５４】
ＩＣチップＭ１に記憶されている想い出情報は，ＩＣチップＭ１に記憶されているデータを読取るデータ読取り機（図示略）を用いて読出されて再生される。
【０１５５】
上述した第２実施例の第２変形例において，想い出情報管理装置４Ａから想い出情報のＵＲＬが読出され，このＵＲＬにしたがってＡＴＭ７から想い出情報のダウンロード要求が行われているが（ステップＳ301，Ｓ294，Ｓ284 ），想い出情報のＵＲＬを送信することなく，ホスト・コンピュータ３Ａからの問合わせ（ステップＳ291 ）があったときに，想い出情報管理装置４Ａからホスト・コンピュータ３Ａを経由してＡＴＭ７に想い出情報そのものを送信するようにしてもよい。いずれにしても，想い出情報の登録が行われた場合，通帳記帳時に，その想い出情報が通帳Ｔ２のＩＣチップＭ１に記憶される。
【符号の説明】
【０１５６】
１  ネットワーク
２  Ｗｅｂサーバ
３，３Ａ  ホスト・コンピュータ
４，４Ａ  想い出情報管理装置
５  クライアント・コンピュータ
７  ＡＴＭ
８  想い出情報登録機
11ａ  会員テーブル
12ａ  元帳属性テーブル
12ｂ  元帳勘定系テーブル
13ａ  想い出情報付勘定系テーブル
13ｂ  想い出情報テーブル
【図１】
0005595864.tif 000002
【図２】
0005595864.tif 000003
【図３】
0005595864.tif 000004
【図４】
0005595864.tif 000005
【図５】
0005595864.tif 000006
【図６】
0005595864.tif 000007
【図７】
0005595864.tif 000008
【図８】
0005595864.tif 000009
【図９】
0005595864.tif 000010
【図１０】
0005595864.tif 000011
【図１１】
0005595864.tif 000012
【図１２】
0005595864.tif 000013
【図１３】
0005595864.tif 000014
【図１４】
0005595864.tif 000015
【図１５】
0005595864.tif 000016
【図１６】
0005595864.tif 000017
【図１７】
0005595864.tif 000018
【図１８】
0005595864.tif 000019
【図１９】
0005595864.tif 000020
【図２０】
0005595864.tif 000021
【図２１】
0005595864.tif 000022
【図２２】
0005595864.tif 000023
【図２３】
0005595864.tif 000024
【図２４】
0005595864.tif 000025
【図２５】
0005595864.tif 000026
【図２６】
0005595864.tif 000027
【図２７】
0005595864.tif 000028
【図２８】
0005595864.tif 000029
【図２９】
0005595864.tif 000030
【図３０】
0005595864.tif 000031
【図３１】
0005595864.tif 000032
【図３２】
0005595864.tif 000033
【図３３】
0005595864.tif 000034
【図３４】
0005595864.tif 000035
【図３５】
0005595864.tif 000036
【図３６】
0005595864.tif 000037
【図３７】
0005595864.tif 000038
【図３８】
0005595864.tif 000039
【図３９】
0005595864.tif 000040
【図４０】
0005595864.tif 000041
【図４１】
0005595864.tif 000042
【図４２】
0005595864.tif 000043
【図４３】
0005595864.tif 000044
【図４４】
0005595864.tif 000045
【図４５】
0005595864.tif 000046
【図４６】
0005595864.tif 000047